(57)【要約】【目的】複眼撮像装置において，縦長の撮像を行なっても，見やすい画像を得る。【構成】光軸が平行となり，表面に第１のＣＣＤ２１が固定された第１の回転体１７と第２のＣＣＤ５１が固定された第２の回転体４７とを設ける。第１の回転体１７と第２の回転体４７の周面にはギヤが形成されており，アイドル・ギヤ３０および６０を介して，スライド・バー７０のギヤと噛み合っている。スライド・バー７０の移動に応じて，第１の回転体１７と第２の回転体４７とが同期して回転する。これにより，ＣＣＤ２１と５１とも横位置から縦位置となり，表示装置２４および５４も縦位置から横位置となる。縦長の画像が比較的見やすくなる。【選択図】  図２
2005057328.tif 000002
【特許請求の範囲】
【請求項１】
平行に配置され，かつ前端面側と後端面側とがそれぞれ開口されている第１の鏡筒と第２の鏡筒，
上記第１の鏡筒に支持され，上記第１の鏡筒の光軸を中心に回転する第１の回転体であって，受光面が上記第１の鏡筒の前端面側に向けられており，光軸方向が上記第１の鏡筒の光軸方向と一致し，かつ被写体を撮像し，被写体像を表す画像データを出力する第１の固体電子撮像素子と，表示画面が上記第１の鏡筒の後端面側に向けられており，上記第１の固体電子撮像素子から出力された画像データによって表される被写体像を表示する第１の表示装置とが設けられている第１の回転体，
上記第２の鏡筒に支持され，上記第２の鏡筒の光軸を中心に回転する第２の回転体であって，受光面が上記第２の鏡筒の前端面側に向けられており，光軸方向が上記第２の鏡筒の光軸方向と一致し，かつ被写体を撮像し，被写体像を表す画像データを出力する第２の固体電子撮像素子と，表示画面が上記第２の鏡筒の後端面側に向けられており，上記第２の固体電子撮像素子から出力された画像データによって表される被写体像を表示する第２の表示装置とが設けられている第２の回転体，および
上記第１の回転体と上記第２の回転体とを同期させて回転させる回転機構，
を備えた複眼撮像装置。
【請求項２】
上記回転機構により，上記第１の回転体と上記第２の回転体とが同期して所定の角度回転したことを検出する検出回路，ならびに
上記検出回路における検出に応答して，上記第１の固体電子撮像素子および上記第２の固体電子撮像素子の回転角を表すデータを，上記第１の固体電子撮像素子および上記第２の固体電子撮像素子からそれぞれ出力される画像データとともに記録媒体に記録する記録制御手段，
をさらに備えた請求項１に記載の複眼撮像装置。
【請求項３】
上記回転機構が，
上記第１の回転体および上記第２の回転体の回転方向に移動するスライド・バーを含み，
上記スライド・バーの移動に応じて，上記第１の回転体および上記第２の回転体が同期して回転するものである，
請求項１に記載の複眼撮像装置。
【請求項４】
上記回転機構が，
上記第１の回転体および上記第２の回転体の回転方向に回転するダイアルを含み，
上記ダイアルの回転に応じて，上記第１の回転体および上記第２の回転体が同期して回転するものである，
請求項１に記載の複眼撮像装置。
【請求項５】
前端面側と後端面側とがそれぞれ開口されている第１の鏡筒と第２の鏡筒が平行に配置されている複眼撮像装置において，
受光面が上記第１の鏡筒の前端面側に向けられており，光軸方向が上記第１の鏡筒の光軸方向と一致し，かつ被写体を撮像し，被写体像を表す画像データを出力する第１の固体電子撮像素子と，表示画面が上記第１の鏡筒の後端面側に向けられており，上記第１の固体電子撮像素子から出力された画像データによって表される被写体像を表示する第１の表示装置とが設けられている第１の回転体を上記第１の鏡筒の光軸を中心に回転自在に支持し，
受光面が上記第２の鏡筒の前端面側に向けられており，光軸方向が上記第２の鏡筒の光軸方向と一致し，かつ被写体を撮像し，被写体像を表す画像データを出力する第２の固体電子撮像素子と，表示画面が上記第２の鏡筒の後端面側に向けられており，上記第２の固体電子撮像素子から出力された画像データによって表される被写体像を表示する第２の表示装置とが設けられている第２の回転体を上記第２の鏡筒の光軸を中心に回転自在に支持し，
上記第１の回転体と上記第２の回転体とを同期させて回転させる，
複眼撮像装置の制御方法。
【発明の詳細な説明】
【０００１】
【技術分野】
この発明は，複眼撮像装置およびその制御方法に関する。
【０００２】
【発明の背景】
第１の鏡筒と第２の鏡筒とを平行に配置し，それぞれの鏡筒の前端面にＣＣＤを配置し，後端面に表示装置を表示する複眼撮像装置が考えられている（特許文献１参照）。
【０００３】
【特許文献１】
特開平７−２３４２９号公報
【０００４】
第１の鏡筒は，たとえば，右目用であり，第２の鏡筒は，たとえば，左目用である。それぞれの鏡筒の前端面側を被写体に向けるようにして構え，ＣＣＤを用いて被写体を撮像すると，撮像により得られた画像が表示装置に表示される。それぞれの鏡筒の後端面側から覗くと，あたかも双眼鏡と同様にして，表示装置に表示された被写体像を見ることができる。
【０００５】
通常の構えで撮像装置を構えて，被写体を撮像すると横長の画像が得られることが多い。縦長の画像を得るためには，撮像装置自体を反時計回り，または時計回りに９０度回転させることが多い。
【０００６】
複眼撮像装置において，撮像装置自体を反時計回り，または時計回りに９０度回転させて縦長の画像を得ようとすると，第１の鏡筒および第２の鏡筒が上下に並んでしまう。被写体を観察しにくいことがある。
【０００７】
【発明の開示】
この発明は，縦長の撮影をした場合に比較的容易に被写体を観察することを目的とする。
【０００８】
この発明による複眼撮像装置は，平行に配置され，かつ前端面側と後端面側とがそれぞれ開口されている第１の鏡筒と第２の鏡筒，上記第１の鏡筒に支持され，上記第１の鏡筒の光軸を中心に回転する第１の回転体であって，受光面が上記第１の鏡筒の前端面側に向けられており，光軸方向が上記第１の鏡筒の光軸方向と一致し，かつ被写体を撮像し，被写体像を表す画像データを出力する第１の固体電子撮像素子と，表示画面が上記第１の鏡筒の後端面側に向けられており，上記第１の固体電子撮像素子から出力された画像データによって表される被写体像を表示する第１の表示装置とが設けられている第１の回転体，上記第２の鏡筒に支持され，上記第２の鏡筒の光軸を中心に回転する第２の回転体であって，受光面が上記第２の鏡筒の前端面側に向けられており，光軸方向が上記第２の鏡筒の光軸方向と一致し，かつ被写体を撮像し，被写体像を表す画像データを出力する第２の固体電子撮像素子と，表示画面が上記第２の鏡筒の後端面側に向けられており，上記第２の固体電子撮像素子から出力された画像データによって表される被写体像を表示する第２の表示装置とが設けられている第２の回転体，および上記第１の回転体と上記第２の回転体とを同期させて回転させる回転機構を備えていることを特徴とする。
【０００９】
この発明は，上記複眼撮像装置に適した制御方法も提供している。すなわち，この方法は，前端面側と後端面側とがそれぞれ開口されている第１の鏡筒と第２の鏡筒が平行に配置されている複眼撮像装置において，受光面が上記第１の鏡筒の前端面側に向けられており，光軸方向が上記第１の鏡筒の光軸方向と一致し，かつ被写体を撮像し，被写体像を表す画像データを出力する第１の固体電子撮像素子と，表示画面が上記第１の鏡筒の後端面側に向けられており，上記第１の固体電子撮像素子から出力された画像データによって表される被写体像を表示する第１の表示装置とが設けられている第１の回転体を上記第１の鏡筒の光軸を中心に回転自在に支持し，受光面が上記第２の鏡筒の前端面側に向けられており，光軸方向が上記第２の鏡筒の光軸方向と一致し，かつ被写体を撮像し，被写体像を表す画像データを出力する第２の固体電子撮像素子と，表示画面が上記第２の鏡筒の後端面側に向けられており，上記第２の固体電子撮像素子から出力された画像データによって表される被写体像を表示する第２の表示装置とが設けられている第２の回転体を上記第２の鏡筒の光軸を中心に回転自在に支持し，上記第１の回転体と上記第２の回転体とを同期させて回転させるものである。
【００１０】
この発明によると，第１の回転体には，第１の固体電子撮像素子と第１の表示装置とが設けられており，第２の回転体には，第２の固体電子撮像素子と第２の表示装置とが設けられている。第１の回転体と第２の回転体とは，同期して回転させられる。第１の回転体と第２の回転体とは，複眼撮像装置をユーザが持った状態で，第１の鏡筒の光軸と第２の鏡筒の光軸とをそれぞれ中心に回転する。複眼撮像装置自体を反時計回りまたは時計回りに回転させることなく，第１の固体電子撮像素子および第２の固体電子撮像素子を回転させることができる。複眼撮像装置自体を回転させることなく，縦長の画像および横長の画像を得ることができる。
【００１１】
上記回転機構は，たとえば，上記第１の回転体および上記第２の回転体の回転方向に移動するスライド・バーを含む。この場合，上記スライド・バーの移動に応じて，上記第１の回転体および上記第２の回転体が同期して回転するものとなろう。
【００１２】
また，上記回転機構は，上記第１の回転体および上記第２の回転体の回転方向に回転するダイアルを含むものでもよい。この場合，上記ダイアルの回転に応じて，上記第１の回転体および上記第２の回転体が同期して回転するものとなろう。
【００１３】
上記回転機構により，上記第１の回転体と上記第２の回転体とが同期して所定の角度回転したことを検出する検出回路，ならびに上記検出回路における検出に応答して，上記第１の固体電子撮像素子および上記第２の固体電子撮像素子の回転角を表すデータを，上記第１の固体電子撮像素子および上記第２の固体電子撮像素子からそれぞれ出力される画像データとともに記録媒体に記録する記録制御手段をさらに備えるようにしてもよい。
【００１４】
記録媒体に記録された画像データによって表される画像が，固体電子撮像素子がどの位置にあったときのものかが分かるようになる。
【００１５】
【実施例の説明】
図１は，この発明の実施例を示すもので，複眼撮像装置の外観を示している。
【００１６】
複眼撮像装置は，第１の把持体１と第２の把持体２とを備えている。第１の把持体１と第２の把持体２とは，接続部材５によって固定されている。
【００１７】
第１の把持体１の前面には，撮像レンズ３が設けられ，後面には，第１の接眼部６が形成されている。第１の接眼部６の内部には接眼レンズ（図示略）が含まれる。第２の把持体２の前面にも撮像レンズ４が設けられており，後面には第２の接眼部７が形成されている。第２の接眼部７の内部にも接眼レンズ（図示略）が含まれている。
【００１８】
複眼撮像装置の下側には，出し入れ自在なスライド・バー７０が設けられている。
【００１９】
ユーザは第１の把持体１および第２の把持体２を右手および左手で持ち，第１の接眼部６に右目を当て，第２の接眼部７に左目を当てる。後述するように，第１の把持体１および第２の把持体２内部にはそれぞれＣＣＤおよび表示装置が含まれており，ＣＣＤによって撮像された被写体像が表示装置に表示される。ユーザは表示装置に表示された被写体像を見ることとなる。
【００２０】
図２は，複眼撮像装置の内部の分解斜視図，図３は，図２のＩＩＩ−ＩＩＩ線に沿う断面図である。
【００２１】
第１の把持体１内には，いずれもが中空円筒の第１の半体１１と第２の半体２５と（第１の鏡筒）が含まれている。
【００２２】
第１の半体１１の後端面には，第１の円板１２が固定されている。第１の円板１２の中央には，開口１６が形成されている。第１の円板１２の背面には，開口１６の回りにほぼ１２０度の間隔を開けて３つのピン１３，１４および１５が立設している。
【００２３】
また，第１の把持体１内には，円形の第１の回転体１７も含まれている。第１の回転体１７の表面には，中央に横長の第１のＣＣＤ（光抽が第１の半体１１の中心軸および撮像レンズの光軸と一致する）２１が固定されている。この第１のＣＣＤ２１の回りには，周方向に３つのガイド溝１８，１９および２０が開けられている。第１の回転体１７の周面２２の一部には，ギヤが形成されている。
【００２４】
第１の回転体１７の裏面には，信号処理用のＩＣチップ２３が固定されており，このＩＣチップ２３には，第１のＣＣＤ２１と同様に横長の液晶表示装置２４が固定されている。液晶表示装置２４の表示画面は，第２の半体２５の後端面側，すなわち第１の接眼部６側に向けられている。
【００２５】
第１の回転体１７の下には，アイドル・ギヤ３０を介して，スライド・バー７０が設けられている。スライド・バー７０の一端には，つまみ７２が形成されている。スライド・バー７０の上面には，ギヤ７１が形成されている。また，スライド・バー７０には，その長手方向に沿って長孔７３および７４が形成されている。これらの長孔７３および７４内には，複眼撮像装置の筐体７７に固定されているピン７５および７６が入っている。長孔７３および７４ならびにピン７５および７６によって，スライド・バー７０が第１の鏡筒１の光軸と直角の方向にスライド自在に規制される。
【００２６】
円板１２の裏面と第１の回転体１７の表面とが重なると，円板１２の裏面に立設されているピン１３，１４および１５が第１の回転体１７に形成されているガイド溝１８，１９および２０内に入る。また，第１の回転体１７の裏面には第２の半体２５が押し付けられ，円板１２のピン１３，１４および１５がガイド溝１８，１９および２０から外れないように，第１の回転体１７の光軸方向への移動が規制される。第１の回転体１７は，円板１２に立設されているピン１３，１４および１５ならびにガイド溝１８，１９および２０によって，周方向に回転可能となる。
【００２７】
上述したのと同様に，第２の把持体２内には，いずれも中空円筒の第１の半体４１および第２の半体５５（第２の鏡筒）が含まれている。第１の半体４１の後端面には，開口４６が形成され，かつピン４３，４４および４５が形成されている円板４２が固定されている。
【００２８】
また，第２の把持体２には，表面に第２のＣＣＤ（光軸が第１の半体４１の中心抽および撮像レンズ４の光抽と一致する）５１が固定され，この第２のＣＣＤ５１の回りにガイド溝４８，４９および５０が開けられている第２の回転体４７が含まれている。第２の回転体４７の裏面には，信号処理用ＩＣチップ５３が固定され，かつこのＩＣチップ５３には，液晶表示装置５４が固定されている。液晶表示装置５４の表示画面は第２の半体５５の後端面側，すなわち第２の接眼部７側に向けられている。
【００２９】
円板４２のピン４３，４４および４５が第２の円板４７に形成されているガイド溝４８，４９および５０の中に入り込み，第２の半体５５によって第２の円板４７が回転自在に抑えられる。第２の円板４７にも周面の一部にギヤが形成されており，アイドル・ギヤ６０介してスライド・バー７０のギヤと噛み合っている。
【００３０】
スライド・バー７０の出し入れに連動して，第１の回転体１７と第２の回転体４７とが同期して回転する。この回転により，第１の回転体１７の表面に固定されている第１のＣＣＤ２１および第２の回転体４７の表面に固定されている第２のＣＣＤ５１が横方向から縦方向に９０度の角度回転することとなる。スライド・バー７０が複眼撮像装置内に押し込まれた場合には，スライド・バー７０の先端が検出スイッチ１０１を押すこととなる。すると，検出スイッチ１０１により，ＣＣＤ２１および５１が縦位置となったことが検出される。スライド・バー７０が複眼撮像装置から取り出されると，スライド・バー７０の先端は検出スイッチ１０１から離れる。すると，ＣＣＤ２１および５１は，縦位置から横位置となったと見なされる。スライド・バー７０がすべて引き出された場合に，ＣＣＤ２１および５１が横位置となるように，長孔７３および７４の長さならびに第１の回転体１７の周面に形成されているギヤの長さおよび第２の回転体４７の周面に形成されているギヤの長さが定められているのはいうまでもない。
【００３１】
図４は，複眼撮像装置の電気的構成を示すブロック図である。
【００３２】
上述したように，検出スイッチ１０１から検出された信号は，制御回路１００に入力する。
【００３３】
第１のＣＣＤ２１および第２のＣＣＤ５１によって被写体が撮像され，被写体像を表す画像データが，それぞれのＣＣＤ２１および５１から出力される。第１のＣＣＤ２１および第２のＣＣＤ５１から出力された画像データは，第１の信号処理回路（信号処理用ＩＣチップ）２３および第２の信号処理回路５３に入力し，アナログ／ディジタル変換，ガンマ補正等の所定の信号処理が行われる。
【００３４】
第１の信号処理回路２３および第２の信号処理回路５３から出力された画像データは，第１の液晶表示装置２４および第２の液晶表示装置２５に入力する。第１の液晶表示装置２４および第２の液晶表示装置２５の表示画面に被写体像が表示される。第１の液晶表示装置２４および第２の液晶表示装置２５に表示されている被写体像が接眼レンズを介して，ユーザによって観察される。
【００３５】
また，シャッタ・レリーズ・ボタン（図示略）が押されると，第１の信号処理回路２３および第２の信号処理回路５３から出力された画像データは，記録制御回路１０２に与えられ，メモリ・カード１０３に記録される。
【００３６】
上述したように，検出スイッチ１０１によって第１のＣＣＤ２１および第２のＣＣＤ５１が横位置から縦位置に変わっている場合に得られた画像データがメモリ・カード１０３に記録されるときには，その画像データが縦長の画像を表すものであることを示すデータも記録媒体に記録される。縦位置であることを示すデータが検出されることにより，画像データによって表される画像を表示する場合には，自動的に縦長で表示するという展開も可能となる。
【００３７】
図５および図６は，他の実施例を示すものである。
【００３８】
図６は，複眼撮像装置の外観を示している。
【００３９】
複眼撮像装置の筐体１１３内には，第１の鏡筒（図示略）と第２の鏡筒（図示略）とが含まれている。第１の鏡筒の先端部分に第１の撮像レンズ１１１が嵌め込められている。また，第２の鏡筒の先端部分に第２の撮像レンズ１１２が嵌め込められている。第１の鏡筒の後端部には，第１の接眼部６が形成されている。また，第２の鏡筒の後端部には，第２の接眼部７が形成されている。
【００４０】
筐体１１３の下面には，そのほぼ中央部分に開口１１４が形成されている。開口１１４からは，回転自在なダイアル１１５が突出している。ダイアル１１５の周面には，ギヤ１１６が形成されている。
【００４１】
図６は，図５のＶＩ−ＶＩ線に沿う断面図であり，図３に対応するものである。
【００４２】
図６において，図３に示すものと同一物には同一符号を付して説明を省略する。
【００４３】
ダイアル１１５は，中心軸１１７を中心として回転自在である。このダイアル１１５の周面に形成されているギヤ１１６は，第１の回転体１７の周面に形成されているギヤと第２の回転体４７の周面に形成されているギヤに噛み合っている。
【００４４】
ダイアル１１５が軸１１７を中心として回転することにより，第１の回転体１７と第２の回転体４７とが同期して回転する。第１の回転体１７の周面に形成されているギヤと第２の回転体４７の周面に形成されているギヤとは，第１のＣＣＤ２１および第２のＣＣＤ５１の回転が９０度の範囲内となるように，それぞれ周面の一部に形成されているのはいうまでもない。９０度を超えて回転させようとすると，第１の回転体１７および第２の回転体４７の周面とダイアル１１５に形成されているギヤとが噛み合わなくなるので，回転が規制される。
【図面の簡単な説明】
【図１】複眼撮像装置の外観を示している。
【図２】複眼撮像装置の内部構造を示す分解斜視図である。
【図３】図２のＩＩＩ−ＩＩＩ線に沿う断面図である。
【図４】複眼撮像装置の電気的構成を示すブロック図である。
【図５】他の実施例を示すもので，複眼撮像装置の外観を示している。
【図６】図５のＶＩ−ＶＩ線に沿う断面図である。
【符号の説明】
１１，４１  第１の半体
１２，４２  円板
１３，１４，１５，４３，４４，４５  ピン
１７  第１の回転体
１８，１９，２０，４８，４９，５０  ガイド溝
２１，５１  ＣＣＤ
２４，５４  液晶表示装置
２５，５５  第２の半体
７０  スライド・バー
３０，６０  アイドル・ギヤ
１０１    検出スイッチ
１０２    記録制御回路
１０３    メモリ・カード
１１５    ダイアル
【図１】
2005057328.tif 000003
【図２】
2005057328.tif 000004
【図３】
2005057328.tif 000005
【図４】
2005057328.tif 000006
【図５】
2005057328.tif 000007
【図６】
2005057328.tif 000008